(57)【要約】【課題】  分割体の間の隙間を減らすことで糸が引っ掛かったり絡んだりしにくくするとともに、対象魚から見える姿として不自然さを軽減できるジョイントルアーを提供する。【解決手段】  ルアー本体(10)の頭部側から尾部側にかけて複数に分割した分割体(11,12,13,14,15)と、  その分割体(11,12,13,14,15)を貫通して連結する芯材(20)と、  前記の分割体(11,12,13,14,15)を一体で被覆する被覆部材(30)と、を備えて形成する。  前記の芯材(20)は、可撓性を備えた材質で形成し、前記の被覆部材(30)は、可撓性を備えた材質で形成する。  分割体(11,12,13,14,15)にルアーとしての模様を描き、被覆体(30)は光透過性のある材料を採用する。【選択図】  図３
2014187950.tif 000002
【特許請求の範囲】
【請求項１】
ルアー本体の頭部側から尾部側にかけて複数に分割した分割体と、
その分割体を貫通して連結する芯材と、
前記の分割体を一体で被覆する被覆部材と、を備え、
前記の芯材は、可撓性を備えた材質で形成し、
前記の被覆部材は、前記の分割体よりも柔らかい材質で形成したジョイントルアー。
【請求項２】
前記の芯材および被覆部材は、頭部側に比べて前記尾部側の可撓性が大きくした請求項１に記載のジョイントルアー。
【請求項３】
前記の被覆部材は、その背部と腹部のいずれか一方または双方がほぼ一次曲線をなすように形成した請求項１または請求項２のいずれかに記載のジョイントルアー。
【請求項４】
前記の芯材は、丸棒状に形成されており、且つ尾部側の外径が頭部側の外径よりも小径となるように形成した請求項１から請求項３のいずれかに記載のジョイントルアー。
【発明の詳細な説明】
【技術分野】
【０００１】
本発明は、ルアーとしての魚の動きに似せた動きが可能であり、且つ釣りの対象魚からの見え方が自然に近いジョイントルアーに関する。
【背景技術】
【０００２】
魚の形状に似せたルアー本体を、対象魚が好む餌の動きに似せるため、ジョイント型のルアー（または単に「ジョイントルアー」）が知られている。
例えば、特許文献１には、頭部と尾部とに分割し、これらの頭部と尾部とを針金または金具等の連結部材で連結して、頭部に対して尾部が揺動するようにしたジョイント型のルアーが開示されている。
【０００３】
特許文献１に開示された技術では、前本体前面部の幅方向中央部を挟んで両側に取水口を形成すると共に、前本体後面部の幅方向中央部を挟んで両側であり、かつ、前記後本体前面部と対向する位置に排水口を形成し、取水口から取り込まれた水が前本体内部を通過して排水口から排出させる、としている。
【０００４】
また、頭部側から尾部側にかけて複数に分割された分割体によりルアー本体を構成し、前記複数の分割体を可撓性のある芯材で連結したジョイントルアーも提供されている。
たとえば、特許文献２では、頭部に比べて尾部側の可撓性が大きくなるように形成し、尾部が頭部に比べて大きく揺動するようにしている。
【先行技術文献】
【特許文献】
【０００５】
【特許文献１】特開２００５−２２９９１０号公報
【特許文献２】特開２０１１−４５３４０号公報
【発明の概要】
【発明が解決しようとする課題】
【０００６】
特許文献１や２に代表される現状のジョイントルアーは、分割された分割体の間に道糸や仕掛けに用いられた糸が引っ掛かったり絡んだりやすい。
また、現状のジョイントルアーには、分割体の間に隙間が存在するので、対象魚から見える姿として自然さが欠如しているのではないか、という懸念がある。
【０００７】
本発明が解決しようとする課題は、分割体の間で糸が引っ掛かったり絡んだりしにくくするとともに、対象魚から見える姿として不自然さを軽減できるジョイントルアーを提供することにある。
【課題を解決するための手段】
【０００８】
（第一の発明）
第一の発明は、  ルアー本体(10)の頭部側から尾部側にかけて複数に分割した分割体(11,12,13,14,15)と、  その分割体(11,12,13,14,15)を貫通して連結する芯材(20)と、  前記の分割体(11,12,13,14,15)を一体で被覆する被覆部材(30)と、を備えて形成したジョイントルアーに係る。
前記の芯材(20)は、可撓性を備えた材質で形成し、  前記の被覆部材(30)は、前記の分割体(11,12,13,14,15)よりも柔かい材質で形成する。
【０００９】
（用語説明）
分割体は、最低でも二分割であるが、分割数が多いと一般には本物の魚の動きにより似せたリアルな動きが得られる一方、製造が複雑になる。よって、３〜６くらいが標準的である。
被覆部材(30)の材質は、例えばシリコンゴム、合成樹脂、合成樹脂、エラストマーなどである。  ルアーとしての魚の姿を分割体(11,12,13,14,15)に描いておいて、被覆部材(30)に透明な（光透過性を備えた）材質のものを採用する場合と、不透明な材質を採用した被覆部材(30)にルアーとしての魚の姿を描く場合とがありえる。
【００１０】
（作用）
本願に係るジョイントルアーは、被覆部材(30)が分割体(11,12,13,14,15)を一体で被覆しているので、対象魚から見える姿としては、被覆部材(30)によって分割体(11,12,13,14,15)の間が埋められているので、不自然さを軽減している。
【００１１】
（第一の発明のバリエーション１）
第一の発明について、  前記の芯材(20)および被覆部材(30)は、頭部側に比べて前記尾部側の可撓性を大きくすると、より好ましい。
【００１２】
（作用）
水流やリトリーブ等による水の抵抗を受けてルアー本体(10)が折れ曲がるときに、頭部側に比べて尾部側の折れ曲がり量（尾部側の振れ幅）が大きくなるので、釣り人の操作によって、魚の動きに似せたリアルな動きを得やすい。これによって、対象とする魚の捕食活動を強く刺激することができる。
ルアー本体(10)を構成する複数の分割体(11,12,13,14,15)は、頭部側に比べて尾部側の可撓性が大きい芯材(20)およびで被覆部材(30)連結されているので、ルアーの動きは、各連結部分で一定に折れ曲がるような本来の魚にはあり得ない不自然な動きとならない。しかも、釣り人の操作によってルアーの動きを静止させた場合、分割体(11,12,13,14,15)相互の連結部分で折れ曲がったままの不自然な形態にはならない。したがって、本願に係るジョイントルアーによれば、釣り人の操作によって、本物の魚の動きに似せたリアルな動きが得られる。
水流やリトリーブ等による水の抵抗を受けてルアー本体(10)が折れ曲がったとしても、ルアー本体(10)の体高方向となる上下方向に比べ、ルアー本体(10)の左右方向の折れ曲がり量が大きくなるようにすることができる。したがって、本物の魚の動きにより似せたリアルな動きが得られる。
【００１３】
（第一の発明のバリエーション２）
第一の発明について、前記の被覆部材(30)は、その背部(30a)と腹部(30b)のいずれか一方または双方がほぼ一次曲線をなすように形成すると、より好ましい。
この場合、ルアー本体(10)の体高方向が把握できるように投写した写像において、被覆部材(30)背部(30a)または腹部(30b)がなす線がほぼ一次曲線をなす場合、複数の分割体(11,12,13,14,15)の隙間は存在しないように埋められていて、滑らかに連続していることになる。
【００１４】
（作用）
対象魚から見た被覆部材(30)の背部(30a)または腹部(30b)が滑らかに連続しているので、対象魚にとっては、本願に係るジョイントルアーは本物の魚に見えやすい。
また、被覆部材(30)の背部(30a)または腹部(30b)を被覆部材(30)が滑らかに連続させているので、道糸や仕掛けの糸が引っ掛かったり絡んだりしにくい。
【００１５】
（第一の発明のバリエーション３）
第一の発明における前記の芯材(20)は、丸棒状に形成されており、且つ尾部(15)側の外径が頭部側(11)の外径よりも小径となるように形成すると、より好ましい。
【００１６】
（作用）
芯材(20)を丸棒状に形成したことで、可撓性のある素材であることと相まって、折れ曲がり方を自然なものとする。
また、尾部側の外径が頭部側の外径よりも小径とすることで、尾部側が頭部側よりも大きな動きをしやすく、釣り人としては、本物の魚と似た動きをさせやすい。
【発明の効果】
【００１７】
第一の発明によれば、分割体の間の隙間を減らすことで糸が引っ掛かったり絡んだりしにくくするとともに、対象魚から見える姿として不自然さを軽減できるジョイントルアーを提供することができた。
【図面の簡単な説明】
【００１８】
【図１】本発明に係る実施形態を示す斜視図である。
【図２】（ａ）は、本発明に係る実施形態を示す側面図であり、（ｂ）は、平面図である。
【図３】（ａ）は、図２（ａ）に示した断面図であり、（ｂ）は、図２（ｂ）に示した断面図である。
【発明を実施するための形態】
【００１９】
以下、本発明の実施形態について図面を参照して説明する。ここで使用する図面は、図１から図３である。
この実施形態に係るジョイントルアーは、外形を魚に似せたルアー本体１０の頭部側から尾部側にかけて５つに分割した分割体と、  その分割体を貫通して連結する芯材２０と、  前記の分割体を一体で被覆する被覆部材３０と、を備えて形成している。
分割体は、流線型をなす頭部分割体１１、胸部分割体１２、上腹分割体１３、下腹分割体１４、および尾部分割体１５からなり、それぞれの外表面に魚の外形を示す模様などが表されている。
【００２０】
各分割体１１，１２，１３，１４，１５は、本実施形態では、鉛合金など比重の大きな金属を採用している。水中への沈み込みの速度を速めるためである。ただし、芯材２０の材質を合成樹脂の成型品とし、芯材２０と一体に成形（射出成形およびインサート成形）することが可能である。
各分割体１１，１２，１３，１４，１５に用いる合成樹脂としては、例えば、ＡＢＳ樹脂やポリカーボネート等の硬質合成樹脂や塩化ビニル等の軟質合成樹脂等を用いることができる。合成樹脂に代え、金属や木材で形成してもよい。
各分割体１１，１２，１３，１４，１５は、左右一対の半割部材として形成し、それぞれの対向面を接着剤や係合手段を用いて接合する際に、芯材２０を挟み込んで固定するようにしてもよい。
【００２１】
芯材２０は、長円形をなす可撓性を備えたワイヤである。被服部材にて被覆する前には、各分割体の間で僅かに露出するほか、両端は頭部分割体１１および尾部分割体１５から突出する。頭部分割体１１から突出した部位は、道糸を結ぶためのラインアイ２１となる。また、尾部分割体１５から突出突出した部位は、仕掛けや釣り針を結ぶためのフックアイ２２となる。
【００２２】
芯材２０の材質は、ステンレス、形状記憶合金（Ｎｉ−Ｔｉ合金等）、合成樹脂、合成ゴム等が採用可能であり、それらを用いて丸棒状に形成する。パイプ形状とすることで軽量化することも可能である。
なお、芯材２０については、尾部分割体１５側の外径が頭部分割体１１の外径よりも小径となるように形成すると、より好ましい。尾部分割体１５側が胸部分割体１２などよりも大きな動きをしやすく、釣り人としては、本物の魚と似た動きをさせやすいからである。
【００２３】
前記の被覆部材３０については、本実施形態においては、光透過性のある可撓性を備えた材質、たとえばシリコンゴムで形成する。
被覆部材３０は、その背部３０ａと腹部３０ｂの双方が、ほぼ一次曲線をなすように形成している。すなわち、図２（ａ）および図３（ａ）に描かれているように、各分割体１１，１２，１３，１４，１５の隙間は存在しないように埋められていて、滑らかに連続していることになる。
このような被覆部材３０により、  対象魚から見た被覆部材３０の背部３０ａおよび腹部３０ｂは滑らかに連続しているので、対象魚にとっては、このジョイントルアーは本物の魚に見えやすい。
また、被覆部材３０の背部３０ａおよび腹部３０ｂを被覆部材３０が滑らかに連続させているので、道糸や仕掛けの糸が引っ掛かったり絡んだりしにくい。
【００２４】
図２（ｂ）および図３（ｂ）に描かれているように、ジョイントルアーの平面図や水平断面図においては、被覆部材３０は、各分割体１１，１２，１３，１４，１５の隙間を完全に埋めることなく、断面Ｖ字形の切り欠き３０ｃが存在するようにしている。これは、このジョイントルアーを使う釣り人の操作によって、魚の動きに似せたリアルな動きを得るためである。各分割体１１，１２，１３，１４，１５における隣り合う２つにとって、Ｖ字形の切り欠き３０ｃが可動域となる。
なお、尾部分割体１５側の切り欠き３０ｃの角度を、頭部分割体１１の切り欠き３０ｃの角度よりも大きく形成すると、より好ましい。尾部分割体１５側が胸部分割体１２などよりも大きな動きをしやすく、釣り人としては、本物の魚と似た動きをさせやすいからである。
【００２５】
前記した実施形態においては、ルアーとしての魚の姿を各分割体１１，１２，１３，１４，１５に描くとともに、被覆部材３０に光透過性を備えたシリコンゴムを採用するとしたが、被覆部材３０に不透明な材質を採用し、その被覆部材３０の外表面にルアーとしての魚の姿を描くこととしてもよい。
【産業上の利用可能性】
【００２６】
本発明は、釣り具の製造業、釣り具のレンタル業、アウトドアスポーツのインストラクター事業などにおいて、利用可能性を有する。
【符号の説明】
【００２７】
１０；  ルアー本体
１１；  頭部分割体                    １２；  胸部分割体
１３；  上腹分割体                    １４；  下腹分割体
１５；  尾部分割体
２０；  芯材                          ２１；  ラインアイ
２２；  フックアイ
３０；  被覆部材                      ３０ａ；背部
３０ｂ；腹部                          ３０ｃ；切り欠き
【図１】
2014187950.tif 000003
【図２】
2014187950.tif 000004
【図３】
2014187950.tif 000005